(57)【特許請求の範囲】
【請求項１】
無線メッシュネットワークを通じて通信を行う受信手段と、
前記受信手段が受信した調光指示信号に基づいてＰＷＭ情報を抽出する信号解析手段と、
前記ＰＷＭ情報に基づいてＰＷＭ指示信号を生成するＰＷＭ指示信号生成手段と、
前記ＰＷＭ指示信号に応じて光源を調光するためのＰＷＭ信号を生成するＰＷＭ信号生成手段と、
を備え、
前記ＰＷＭ信号生成手段は、前記受信手段が受信した関連付け信号によりネットワークに関連付けられた際に、所定のパターンで発光するように前記光源を調光するためのＰＷＭ信号を生成する、
ことを特徴とする調光器。
【請求項２】
無線メッシュネットワークを通じて通信を行う受信手段と、
前記受信手段が受信した調光指示信号に基づいてＰＷＭ情報を抽出する信号解析手段と、
前記ＰＷＭ情報に基づいてＰＷＭ指示信号を生成するＰＷＭ指示信号生成手段と、
前記ＰＷＭ指示信号に応じて光源を調光するためのＰＷＭ信号を生成するＰＷＭ信号生成手段と、
を備え、
前記ＰＷＭ信号生成手段は、前記受信手段が受信した関連付け解除信号によりネットワークとの関連付けが解除された際に、所定のパターンで発光するように前記光源を調光するためのＰＷＭ信号を生成する、
ことを特徴とする調光器。
【請求項３】
無線メッシュネットワークを通じて通信を行う受信手段と、
前記受信手段が受信した調光指示信号に基づいてＰＷＭ情報を抽出する信号解析手段と、
前記ＰＷＭ情報に基づいてＰＷＭ指示信号を生成するＰＷＭ指示信号生成手段と、
前記ＰＷＭ指示信号に応じて光源を調光するためのＰＷＭ信号を生成するＰＷＭ信号生成手段と、
を備え、
前記ＰＷＭ信号生成手段は、前記受信手段が受信した関連付け信号により外部装置に関連付けられた際には、前記光源を点灯し、前記受信手段が受信した関連付け解除信号により外部装置との関連付けが解除された際には、前記光源を消灯する、
ことを特徴とする調光器。
【請求項４】
請求項１乃至３のうちいずれか１項に記載の調光器と、
少なくとも人の在不在または周囲の照度である環境情報を検出する検出手段と、
前記環境情報に基づいて光源を調光する調光器への調光指示信号を生成する信号生成手
段と、
前記調光器に対して無線メッシュネットワークを通じて通信を行う送信手段と、
を備える検出器と、
を備えることを特徴とする照明制御システム。
【請求項５】
無線メッシュネットワークを通じて制御信号を送信する送信手段を含む制御装置と、
前記制御信号に基づいてＰＷＭ信号を出力する複数の調光器と、
前記ＰＷＭ信号に応じて光源を調光する照明器具と、
を備え、
前記送信手段は、前記複数の調光器から受信した電波の強度に基づいて１台の調光器をブリッジデバイスとして選択し、選択した前記１台の調光器を介して他の調光器と通信し、
ブリッジデバイスである前記１台の調光器から受信した電波の強度が所定値以下ならば、各前記複数の調光器から受信した電波の強度に基づいて１台の調光器をブリッジデバイスとして再選択する、
ことを特徴とする照明制御システム。
【請求項６】
前記送信手段は、前記複数の調光器に関連付け信号を送信して制御対象グループとし、かつ前記制御対象グループに属する各調光器の状態がそれぞれ相違する場合には、前記制御対象グループの状態を無効表示、または前記制御対象グループのうちいずれか１台の状態を表示する、
ことを特徴とする請求項５に記載の照明制御システム。
【請求項７】
無線メッシュネットワークを通じて通信を行う受信手段と、
前記受信手段が受信した制御指示信号に基づいて制御情報を抽出する信号解析手段と、
前記制御情報に基づいて動作指示信号を生成する動作指示信号生成手段と、
前記動作指示信号に応じて機器を駆動するための駆動信号を生成する駆動信号生成手段と、
を備え、
前記駆動信号生成手段は、前記受信手段が受信した関連付け信号によりネットワークに関連付けられた際に、所定のパターンで発光するように前記機器を駆動するための駆動信号を生成する、
ことを特徴とする制御ユニット。
【請求項８】
無線メッシュネットワークを通じて通信を行う受信手段と、
前記受信手段が受信した制御指示信号に基づいて制御情報を抽出する信号解析手段と、
前記制御情報に基づいて動作指示信号を生成する動作指示信号生成手段と、
前記動作指示信号に応じて機器を駆動するための駆動信号を生成する駆動信号生成手段と、
を備え、
前記駆動信号生成手段は、前記受信手段が受信した関連付け解除信号によりネットワークとの関連付けが解除された際に、所定のパターンで発光するように前記機器を駆動するための駆動信号を生成する、
ことを特徴とする制御ユニット。
【請求項９】
無線メッシュネットワークを通じて制御信号を送信する送信手段を含む制御装置と、
前記制御信号に基づいて駆動信号を出力する複数の制御ユニットと、
前記駆動信号に応じて動作する機器と、
を備え、
前記送信手段は、前記複数の制御ユニットから受信した電波の強度に基づいて１台の制御ユニットをブリッジデバイスとして選択し、選択した前記１台の制御ユニットを介して他の制御ユニットと通信し、
ブリッジデバイスである前記１台の制御ユニットから受信した電波の強度が所定値以下ならば、前記複数の制御ユニットから受信した電波の強度に基づいて１台の制御ユニットをブリッジデバイスとして再選択する、
ことを特徴とする機器制御システム。
【請求項１０】
前記送信手段は、前記複数の制御ユニットに関連付け信号を送信して制御対象グループとし、かつ前記制御対象グループに属する各制御ユニットの状態がそれぞれ相違する場合には、前記制御対象グループの状態を無効表示、もしくは前記制御対象グループのうちいずれか１台の状態を表示する、
ことを特徴とする請求項９に記載の機器制御システム。
【発明の詳細な説明】
【技術分野】
【０００１】
本発明は、操作量を無線によって受信し、受信した操作量情報に基づいてＰＷＭ信号を生成する調光器、無線によって操作量を指示する調光器、照明制御システム、制御ユニット、および機器制御システムに関する。
【背景技術】
【０００２】
近年、複数の照明器具を集中制御可能なシステムが提案されている。例えば欧州では、複数の照明器具とマスタコントローラとを有線で接続して集中制御可能なDALI（Digital Addressable Lighting Interface）と呼ばれる照明の制御規格が普及している。
このようなシステムは、ユーザの操作量に応じてＬＥＤ駆動装置に調光指示信号（ＰＷＭ信号）を出力するＰＷＭ調光制御装置を備え、照明を容易かつ好適に制御可能である。しかし、DALI規格のように有線で照明器具を制御するシステムでは、既存の照明器具に対しては導入コストが高く現実的ではない。そこで、特許文献１に記載の発明のように、無線を介して照明器具を制御するシステムが提案されている。これにより、制御線なしに照明器具を集中制御可能となる。
【０００３】
特許文献１の段落０００６には、「通信速度を高速にすることなく１組の無線機で制御信号の伝送だけでなく監視データの伝送も可能とした無線送受信装置及び調光制御システムを提供する」と記載されている。
【先行技術文献】
【特許文献】
【０００４】
【特許文献１】特開２００６−１４０７６４号公報
【発明の概要】
【発明が解決しようとする課題】
【０００５】
調光制御システムを構築する場合、そのシステムの導入コストやシステムの拡張性を考慮する必要がある。例えば、照明器具はＬＥＤ（Light Emitting Diode）等からなる光源および光源を駆動する光源駆動装置から構成され、光源駆動装置は無線によって受信した調光指示信号に基づいて駆動され、光源の光出力を調光制御する。ここで、光源駆動装置に入力される調光指示信号の方式がＰＷＭ（Pulse Width Modulation）方式に対応している光源駆動装置が他方式と比べて比較的に多くの照明出力に対応した製品が市場に流通しており、安価に導入可能である。すなわち、無線機で受信した調光指示信号をＰＷＭ信号に変換した後に光源駆動装置に入力するシステムとすれば導入コストが抑制できるとともにシステムを容易に構成することができる。
【０００６】
また、特許文献１に記載の発明のように、無線親機と複数の無線子機のそれぞれが１対１の関係で接続される無線ネットワークにおいて、新たに照明を追加したい場合を考える。この場合には、無線親機の無線到達可能範囲内に無線子機を設置しなければ通信を行う事ができず、例えば無線親機の無線到達範囲が広い無線機に交換、或いは無線親機の数を増やす等が必要であって、拡張性が低い。
そこで、本発明は、拡張性の高い照明システムまたは機器制御システムを容易に構築することを課題とする。
【課題を解決するための手段】
【０００７】
前記した課題を解決するため、請求項１に記載の発明では、無線メッシュネットワークを通じて通信を行う受信手段と、前記受信手段が受信した調光指示信号に基づいてＰＷＭ情報を抽出する信号解析手段と、前記ＰＷＭ情報に応じて光源を調光するためのＰＷＭ信号を生成するＰＷＭ信号生成手段と、を備え、前記ＰＷＭ信号生成手段は、前記受信手段が受信した関連付け信号によりネットワークに関連付けられた際に、所定のパターンで発光するように前記光源を調光するためのＰＷＭ信号を生成する、ことを特徴とする調光器とした。
その他の手段については、発明を実施するための形態のなかで説明する。
【発明の効果】
【０００８】
本発明によれば、拡張性の高い照明システムまたは機器制御システムを容易に構築することが可能となる。
【図面の簡単な説明】
【０００９】
【図１】第１の実施形態における照明制御システムの構成図である。
【図２】照明制御システムを構成する各装置のブロック図である。
【図３】無線モジュールの構成を示すブロック図である。
【図４】機器登録動作を示すシーケンス図である。
【図５】機器登録の解除動作を示すシーケンス図である。
【図６】自動ブリッジ切替動作を示すシーケンス図である。
【図７】ブリッジデバイスの制御動作を示すシーケンス図である。
【図８】ノーマルデバイスの制御動作を示すシーケンス図である。
【図９】グループ登録動作を示すシーケンス図である。
【図１０】グループ制御動作と個別制御動作を示すシーケンス図である。
【図１１】グループ制御と個別制御の画面を示す図である。
【図１２】グループ選択時の処理を示すフローチャートである。
【図１３】第２の実施形態におけるムービングライトと制御端末の外観図である。
【図１４】無線モジュールの構成を示すブロック図である。
【図１５】グループ制御と個別制御の画面を示す図である。
【図１６】グループ選択時の処理を示すフローチャートである。
【発明を実施するための形態】
【００１０】
以降、本発明を実施するための形態を、各図を参照して詳細に説明する。
図１は、第１の実施形態における照明制御システムＳの構成図である。
照明制御システムＳは、複数の調光ユニット２０（調光器）とＬＥＤライト１０（照明器具の一例）との組み合わせである照明装置１００と、制御端末３０（制御装置の一例）と、センサユニット４０（検出器の一例）とを含んで構成される。なお、照明制御システムＳは、制御端末３０およびセンサユニット４０の両方ではなく、いずれか片方を備えていればよく、限定されない。
【００１１】
調光ユニット２０とセンサユニット４０とは、Bluetooth Smart（登録商標）を使用したメッシュネットワーク技術に対応している。このメッシュネットワーク技術は、例えばCSRmesh（登録商標）であり、メッシュ状に配置された通信ノード同士が、リレーするような形式で次から次へと通信するものである。これにより、１つの無線通信リンクを超えて通信到達距離を拡大させることができる。この図１では、カギ線で無線メッシュを示している。
このメッシュネットワーク技術では、制御端末は初めに任意の1ユニットと接続(ブリッジ接続)する。当該ユニットをブリッジデバイスと呼ぶ。制御端末からの送信情報は、ブリッジデバイスに送信され、ブリッジデバイスから各ユニットに対して送信が行われる。また各ユニットから制御端末へのメッセージについては、ブリッジデバイスに送信され、ブリッジデバイスから制御端末に送信される。故障などで使えなくなったユニットが発生しても他のユニットを経由して送信先までメッセージを転送させる事ができる。ブリッジデバイスが故障した場合、制御端末は故障したユニット以外の任意のユニットとブリッジ接続を行う。
【００１２】
制御端末３０は、照明制御システムＳの専用アプリケーションをインストールされている(制御端末がアップル社のiPhone（登録商標）やiPad（登録商標）等であれば、専用アプリケーションをApple store（登録商標）からダウンロードした後にインストールする)。制御端末３０は、ユーザの操作量に応じた調光指示信号をBluetooth Smart（登録商標）によって、各調光ユニット２０に送信する。センサユニット４０は、センサで検知した結果に応じたＯＮ／ＯＦＦ指令や照度値指令（調光指示信号の一例）をBluetooth Smart（登録商標）によって、各調光ユニット２０に送信する。
各調光ユニット２０は、それぞれＬＥＤライト１０に接続されており、このＬＥＤライト１０にＰＷＭ信号ＰＷＭを出力して調光を指示する。ＬＥＤライト１０は、調光ユニット２０が出力したＰＷＭ信号ＰＷＭに応じて光源を調光する。制御端末３０は、センサユニット４０がセンサで検知した結果に応じたＯＮ／ＯＦＦ指令や照度値指令を受信し、ＯＮ／ＯＦＦ指令や照度値指令をモニタできる。
【００１３】
図２は、照明制御システムＳを構成する各装置のブロック図である。
ＬＥＤライト１０は、不図示の光源駆動装置とＬＥＤ光源とを具えており、調光ユニット２０からのＰＷＭ信号ＰＷＭに基づいて調光制御されて照明を行う。
【００１４】
調光ユニット２０は、交流１００Ｖを直流１２Ｖに変換するＡＣ／ＤＣコンバータ２４と、直流１２Ｖを＋３．３Ｖに降圧するレギュレータ２５と、直流３．３Ｖで駆動する無線モジュール２６と、直流１２Ｖ及びＰＷＭ指示信号ＳｐからＰＷＭ信号ＰＷＭを生成するＰＷＭ信号生成回路２７とを備えている。ＰＷＭ信号生成回路２７は、スイッチ素子を含み、ＰＷＭ指示信号Ｓｐに応じてスイッチ素子のオンオフを制御することによって、入力された直流１２ＶをＰＷＭ信号ＰＷＭに変換する。調光ユニット２０は、調光指令（調光指示信号の一例）に基づいてＰＷＭ信号ＰＷＭを生成する。無線モジュール２６は、無線メッシュネットワークを通じて制御端末３０、センサユニット４０、他の調光ユニット２０などとの間で通信を行い、ＰＷＭ指示信号Ｓｐを生成する。ＰＷＭ信号生成回路２７は、無線モジュール２６が生成したＰＷＭ指示信号Ｓｐに基づいてＰＷＭ信号ＰＷＭを生成し、ＬＥＤライト１０に出力する。なお、図１では、制御端末３０から調光指令が送信され、センサユニット４０からＯＮ／ＯＦＦ指令と照度値指令とが送信される様子を示しているが、これには限定されない。なお、調光ユニット２０の駆動電力は少ないことから、ＡＣ／ＤＣコンバータ２４は必須ではなく、電池駆動であってもよい。
【００１５】
センサユニット４０は、ホストコントローラ４１と、交流１００Ｖを直流３．３Ｖに変換するＡＣ／ＤＣコンバータ４４と、スイッチ４２と、直流３．３Ｖで駆動する無線モジュール４６（送信手段の一例）およびホストコントローラ４１（信号生成手段の一例）と、人感センサ４３ａ（検出手段の一例）と、照度センサ４３ｂ（検出手段の一例）とを備えている。なお、無線モジュール４６は中央処理装置が備えられている。この中央処理装置の一部にホストコントローラ４１の機能を担わせることによって、ホストコントローラ４１を省略可能である。
【００１６】
無線モジュール４６とホストコントローラ４１とは、ＵＡＲＴ（Universal Asynchronous Receiver Transmitter)を介して接続される。ホストコントローラ４１または無線モジュール４６は、スイッチ４２や制御端末３０からTxPower(送信パワー)設定を受信すると、このTxPower設定に応じたＯＮ／ＯＦＦ指令や照度値指令を調光ユニット２０や制御端末３０に送信する。
ホストコントローラ４１は、人感センサ４３ａで人の在不在を感知し、照度センサ４３ｂで周囲の照度環境を感知するとともに、それらの感知情報に基づき、ＯＮ／ＯＦＦ指令や照度値指令を無線モジュール４６を介して、調光ユニット２０や制御端末３０に送信する。なお、センサユニット４０の消費電力は少ないので、ＡＣ／ＤＣコンバータ４４は必須ではなく、電池駆動であってもよい。
【００１７】
制御端末３０は、例えばスマートフォンやタブレット端末であり、不図示のタッチパネルディスプレイと、通信部（送信手段の一例）とを備えている。この制御端末３０は、専用のアプリケーションをインストールする事により、ユーザの操作に応じた調光指令を、無線メッシュネットワークを通じて調光ユニット２０に送信する。
【００１８】
図３は、無線モジュール２６の構成を示すブロック図である。
図３に示した無線モジュール２６は、無線通信制御部２６１と、信号解析部２６２（信号解析手段の一例）と、ＰＷＭ指示信号生成部２６３（ＰＷＭ指示信号生成手段の一例）とを備えている。
無線通信制御部２６１は、無線メッシュネットワーク（図１参照）を通じて通信を行う受信手段である。ここでは、無線メッシュネットワークを通じて調光指令、ＯＮ／ＯＦＦ指令、及び照度値指令を受信することが示されている。
信号解析部２６２は、無線通信制御部２６１が受信した調光指令に基づいてＰＷＭ情報を抽出する。
【００１９】
ＰＷＭ指示信号生成部２６３は、信号解析部２６２のＰＷＭ情報に応じて、光源を調光するためのＰＷＭ指示信号Ｓｐを生成する。ＰＷＭ信号生成回路２７（ＰＷＭ信号生成手段の一例）は、このＰＷＭ指示信号Ｓｐに基づいてＰＷＭ信号ＰＷＭを生成して、ＬＥＤライト１０に供給する。
【００２０】
以下、図４〜図１０のシーケンス図によって、照明制御システムＳの動作を説明する。ここでアプリ３１とは、制御端末３０の不図示のＣＰＵが実行するアプリケーションプログラムのことをいう。また照明制御システムＳは、４台の調光ユニット２０−１〜２０−４を備え、各調光ユニット２０−１〜２０−４を区別しないときには、単に調光ユニット２０と記載する。センサユニット４０は、照明制御システムＳには含まれていないものとする。
【００２１】
図４は、機器登録動作を示すシーケンス図である。
シーケンスＱ１０〜Ｑ１７は、制御端末３０（アプリ３１）が、ブリッジデバイスを選択するときの動作を示している。
最初、制御端末３０は、アプリ３１を起動する。このとき調光ユニット２０−１〜２０−４は、自身の存在を広告するため、定期的にAdvertise（広告パケット）を送信している。
【００２２】
制御端末３０は、アプリ３１の実行により、調光ユニット２０−１〜２０−４からのAdvertiseを受信し（シーケンスＱ１０〜Ｑ１３）、何れの調光ユニット２０の電波強度が充分であるかを判定して、最も電波強度が高いものをブリッジデバイスとして選択する（シーケンスＱ１４）。この図１のシーケンスでは、調光ユニット２０−１が選択されている。
【００２３】
制御端末３０（アプリ３１）は、選択した調光ユニット２０−１にConnect（接続）コマンドを送信し（シーケンスＱ１５）、調光ユニット２０−１からConnected（接続完了）レスポンスを受信すると（シーケンスＱ１６）、この調光ユニット２０−１をブリッジデバイスとして運用開始する。以降調光ユニット２０−１は、制御端末３０と、他のメッシュネットワークのデバイスとの通信を中継する。
【００２４】
シーケンスＱ１８〜Ｑ２９は、制御端末３０（アプリ３１）が、調光ユニット２０−１〜２０−４をネットワーク登録するときの動作を示している。
制御端末３０（アプリ３１）は、調光ユニット２０−１からMoving#1（広告パケット）を直接受信する（シーケンスＱ１８）。
【００２５】
調光ユニット２０−２は、無線メッシュネットワークを通じてMoving#2（広告パケット）を送信する（シーケンスＱ１９ａ）。制御端末３０は、アプリ３１により、調光ユニット２０−１を介して調光ユニット２０−２が送信したMoving#2を受信する（シーケンスＱ１９ｂ）。
【００２６】
調光ユニット２０−３は、無線メッシュネットワークを通じてMoving#3（広告パケット）を送信する（シーケンスＱ２０ａ）。制御端末３０は、アプリ３１により、調光ユニット２０−１を介して調光ユニット２０−３が送信したMoving#3を受信する（シーケンスＱ２０ｂ）。
【００２７】
調光ユニット２０−４は、無線メッシュネットワークを通じてMoving#4（広告パケット）を送信する（シーケンスＱ２１ａ）。制御端末３０は、アプリ３１により、調光ユニット２０−１を介して調光ユニット２０−４が送信したMoving#4を受信する（シーケンスＱ２１ｂ）。
【００２８】
制御端末３０（アプリ３１）は、調光ユニット２０−１に対してAssociate（関連付け信号）を直接送信する（シーケンスＱ２２）。調光ユニット２０−１は、この制御端末３０のネットワークとして登録されたので、調光ユニット２０−１に接続されたＬＥＤライト１０を点灯すると共にブリンク（所定の周期で点滅）させる（シーケンスＱ２３）。これにより制御端末３０を操作したユーザは、どのＬＥＤライト１０を制御対象としたのかを視認可能である。
【００２９】
制御端末３０（アプリ３１）は、調光ユニット２０−２に係るAssociate#2（関連付け信号）を、調光ユニット２０−１を介して送信する（シーケンスＱ２４ａ）。調光ユニット２０−２は、無線メッシュネットワークを通じてAssociate#2を受信する（シーケンスＱ２４ｂ）。調光ユニット２０−２は、この制御端末３０のネットワークとして登録されたので、調光ユニット２０−２に接続されたＬＥＤライト１０を点灯すると共にブリンク（所定の周期で点滅）させる（シーケンスＱ２５）。
【００３０】
制御端末３０（アプリ３１）は、調光ユニット２０−３に係るAssociate#3（関連付け信号）を、調光ユニット２０−１を介して送信する（シーケンスＱ２６ａ）。調光ユニット２０−３は、無線メッシュネットワークを通じてAssociate#3を受信する（シーケンスＱ２６ｂ）。調光ユニット２０−３は、この制御端末３０のネットワークとして登録されたので、調光ユニット２０−３に接続されたＬＥＤライト１０を点灯すると共にブリンク（所定の周期で点滅）させる（シーケンスＱ２７）。
【００３１】
制御端末３０（アプリ３１）は、調光ユニット２０−４に係るAssociate#4（関連付け信号）を、調光ユニット２０−１を介して送信する（シーケンスＱ２８ａ）。調光ユニット２０−４は、無線メッシュネットワークを通じてAssociate #4を受信する（シーケンスＱ２８ｂ）。調光ユニット２０−４は、この制御端末３０のネットワークとして登録されたので、調光ユニット２０−３に接続されたＬＥＤライト１０を点灯すると共にブリンク（所定の周期で点滅）させる（シーケンスＱ２９）。
【００３２】
なお、各調光ユニット２０は、自身に関するAssociateを受信した際には、ブリンク（所定の周期で点滅）に限られず、フェードイン・フェードアウトなど、ユーザが視認可能ないずれのパターンで点灯してもよい。
【００３３】
図５は、機器登録の解除動作を示すシーケンス図である。
シーケンスＱ３０〜Ｑ３３ｂの動作は、図４に示したシーケンスＱ１８〜Ｑ２１ｂの動作と同様である。
シーケンスＱ３４〜Ｑ４１は、制御端末３０（アプリ３１）が、調光ユニット２０−１〜２０−４をネットワークから登録解除するときの動作を示している。
【００３４】
制御端末３０（アプリ３１）は、調光ユニット２０−１に対してDisassociate（関連付け解除信号）を直接送信する（シーケンスＱ３４）。調光ユニット２０−１は、この制御端末３０のネットワークから解除されたので、調光ユニット２０−１に接続されたＬＥＤライト１０をブリンク（所定の周期で点滅）させた後に消灯させる（シーケンスＱ３５）。これにより制御端末３０を操作したユーザは、どのＬＥＤライト１０を制御対象から解除したのかを視認可能である。
【００３５】
制御端末３０（アプリ３１）は、調光ユニット２０−２に係るDisassociate#2（関連付け解除信号）を、調光ユニット２０−１を介して送信する（シーケンスＱ３６ａ）。調光ユニット２０−２は、無線メッシュネットワークを通じてDisassociate#2を受信する（シーケンスＱ３６ｂ）。調光ユニット２０−２は、この制御端末３０のネットワークから解除されたので、調光ユニット２０−２に接続されたＬＥＤライト１０をブリンク（所定の周期で点滅）させた後に消灯させる（シーケンスＱ３７）。
【００３６】
制御端末３０（アプリ３１）は、調光ユニット２０−３に係るDisassociate#3（関連付け解除信号）を、調光ユニット２０−１を介して送信する（シーケンスＱ３８ａ）。調光ユニット２０−３は、無線メッシュネットワークを通じてDisassociate#3を受信する（シーケンスＱ３８ｂ）。調光ユニット２０−３は、この制御端末３０のネットワークから解除されたので、調光ユニット２０−３に接続されたＬＥＤライト１０をブリンク（所定の周期で点滅）させた後に消灯させる（シーケンスＱ３９）。
【００３７】
制御端末３０（アプリ３１）は、調光ユニット２０−４に係るDisassociate#4（関連付け解除信号）を、調光ユニット２０−１を介して送信する（シーケンスＱ４０ａ）。調光ユニット２０−４は、無線メッシュネットワークを通じてDisassociate#4を受信する（シーケンスＱ４０ｂ）。調光ユニット２０−４は、この制御端末３０のネットワークから解除されたので、調光ユニット２０−４に接続されたＬＥＤライト１０をブリンク（所定の周期で点滅）させた後に消灯させる（シーケンスＱ４１）。
【００３８】
なお、各調光ユニット２０は、自身に関するDisassociateを受信した際には、ブリンク（所定の周期で点滅）に限られず、フェードイン・フェードアウトなど、ユーザが視認可能ないずれのパターン（所定のパターンの一例）で点灯してもよい。また、Associateを受信したときの点灯バターンとは異なるバターンで点灯すると、ユーザに対して操作結果を間違いなくフィードバックできて好適である。
また、ブリンク（所定の周期で点滅）させた後、消灯させることなく点灯を継続してもよい。当然の事ながら、関連付けを解除した各調光ユニット２０は、再度関連付け可能である。
【００３９】
図６は、自動ブリッジ切替動作を示すシーケンス図である。
ここでは最初、調光ユニット２０−１が、制御端末３０（アプリ３１）に係るブリッジデバイスとして動作している。調光ユニット２０−１は、制御端末３０（アプリ３１）と所定周期で通信し（シーケンスＱ５１）、制御端末３０（アプリ３１）は、この通信に係るRSSI値（Received signal strength indication：受信信号強度）を取得する（シーケンスＱ５２）。これにより、制御端末３０（アプリ３１）は、通信先との物理的な距離を推定することができる。
【００４０】
所定期間が経過すると調光ユニット２０−１は、制御端末３０（アプリ３１）と通信し（シーケンスＱ５３）、制御端末３０（アプリ３１）は、この通信に係るRSSI値を取得する（シーケンスＱ５４）。このとき制御端末３０（アプリ３１）は、RSSI値が所定値以下であったならば、各装置のスキャンを開始する（シーケンスＱ５５）。
調光ユニット２０−１〜２０−４は、自身の存在を広告するため、定期的にAdvertiseを送信している。
【００４１】
制御端末３０は、調光ユニット２０−４からのAdvertiseを受信して（シーケンスＱ５６）、RSSI値を取得し（シーケンスＱ５７）、調光ユニット２０−３からのAdvertiseを受信して（シーケンスＱ５８）、RSSI値を取得し（シーケンスＱ５９）、調光ユニット２０−２からのAdvertiseを受信して（シーケンスＱ６０）、RSSI値を取得する（シーケンスＱ６１）。
【００４２】
制御端末３０（アプリ３１）は、調光ユニット２０−２のRSSI値が最も大きく、かつ所定値を超えていると判定したならば、ブリッジデバイスを切り替える。
【００４３】
制御端末３０（アプリ３１）は、調光ユニット２０−１にDisconnectを送信し（シーケンスＱ６２）、調光ユニット２０−１をブリッジデバイスから解放する（シーケンスＱ６３）。更に制御端末３０（アプリ３１）は、調光ユニット２０−２にConnectを送信し（シーケンスＱ６４）、調光ユニット２０−２をブリッジデバイスとして選択する（シーケンスＱ６５）。これにより、ブリッジデバイスを常に最適なものとすることができる。
【００４４】
図７は、ブリッジデバイスの制御動作を示すシーケンス図である。
ここでは、調光ユニット２０−１が、制御端末３０（アプリ３１）に係るブリッジデバイスとして動作している。制御端末３０（アプリ３１）は、調光ユニット２０−１の状態確認コマンドを直接送信し（シーケンスＱ７０）、状態通知レスポンスを受信すると（シーケンスＱ７１）、この調光ユニット２０−１の状態情報を更新する（シーケンスＱ７２）。状態情報とは、例えばＬＥＤライト１０が点灯しているか否か、或いはＬＥＤライト１０の調光率である。
【００４５】
制御端末３０（アプリ３１）は、調光ユニット２０−１の点灯要求コマンドを直接送信する（シーケンスＱ７３）。調光ユニット２０−１の無線モジュール２６は、点灯要求コマンドを受信すると、ＰＷＭ信号生成回路２７に対して点灯要求（所定のＤｕｔｙ比に基づいたＰＷＭ指示信号Ｓｐを出力）を行い（シーケンスＱ７４）、制御端末３０（アプリ３１）に対して状態通知を応答する（シーケンスＱ７５）。ＬＥＤライト１０は、点灯要求に応じて光源を点灯する（シーケンスＱ７６）。無線モジュール２６は、ＰＷＭ信号生成回路２７の状態情報を更新する（シーケンスＱ７７）。
【００４６】
制御端末３０（アプリ３１）は、調光ユニット２０−１の調光率変更要求コマンドを直接送信する（シーケンスＱ８０）。調光ユニット２０−１の無線モジュール２６は、調光率変更要求コマンドを受信すると、ＰＷＭ信号生成回路２７に対して調光率変更要求（所定のＤｕｔｙ比に基づいたＰＷＭ指示信号Ｓｐを出力）を行い（シーケンスＱ８１）、制御端末３０（アプリ３１）に対して状態通知を応答する（シーケンスＱ８２）。ＰＷＭ信号生成回路２７は、ＬＥＤライト１０の調光率を変更する（シーケンスＱ８３）。無線モジュール２６は、ＰＷＭ信号生成回路２７の状態情報を更新する（シーケンスＱ８４）。
【００４７】
制御端末３０（アプリ３１）は、調光ユニット２０−１の消灯要求コマンドを直接送信する（シーケンスＱ９０）。調光ユニット２０−１の無線モジュール２６は、消灯要求コマンドを受信すると、ＰＷＭ信号生成回路２７に対して消灯要求（光源が消灯するＤｕｔｙ比に基づいたＰＷＭ指示信号Ｓｐを出力）を行い（シーケンスＱ９１）、制御端末３０（アプリ３１）に対して状態通知を応答する（シーケンスＱ９２）。ＬＥＤライト１０は、消灯要求に応じて光源を消灯する（シーケンスＱ９３）。無線モジュール２６は、ＰＷＭ信号生成回路２７の状態情報を更新する（シーケンスＱ９４）。なお、ＰＷＭ信号生成回路２７に対する消灯要求は、ＰＷＭ指示信号生成部２６３の出力ポートをオープン設定にする事によって、結果的にＰＷＭ指示信号Ｓｐの大きさをゼロとすることで光源を消灯する方法や、光源が消灯するＤｕｔｙ比に基づいたＰＷＭ指示信号Ｓｐを出力することで光源を消灯する方法等で行う。
【００４８】
図８は、ノーマルデバイス（ブリッジ以外のデバイス）の制御動作を示すシーケンス図である。
ここでは、調光ユニット２０−１が、制御端末３０（アプリ３１）に係るブリッジデバイスとして動作している。制御端末３０（アプリ３１）は、調光ユニット２０−２の状態確認コマンドを、調光ユニット２０−１を介して送信する（シーケンスＱ１００ａ）。調光ユニット２０−２の無線モジュール２６は、無線メッシュネットワークを通じて調光ユニット２０−２の状態確認コマンドを受信し（シーケンスＱ１００ｂ）、無線メッシュネットワークを通じて状態通知を応答する（シーケンスＱ１０１ａ）。調光ユニット２０−１は、調光ユニット２０−２の状態通知を制御端末３０に中継する（シーケンスＱ１０１ｂ）。これにより制御端末３０は、調光ユニット２０−２の状態情報を更新する（シーケンスＱ１０２）。
【００４９】
更に制御端末３０（アプリ３１）は、調光ユニット２０−２の点灯要求コマンドを、調光ユニット２０−１を介して送信する（シーケンスＱ１１０ａ）。調光ユニット２０−２の無線モジュール２６は、無線メッシュネットワークを通じて調光ユニット２０−２の点灯要求コマンドを受信すると（シーケンスＱ１１０ｂ）、ＰＷＭ信号生成回路２７に対して点灯要求（所定のＤｕｔｙ比に基づいたＰＷＭ指示信号Ｓｐを出力）を行い（シーケンスＱ１１１）、無線メッシュネットワークを通じて制御端末３０（アプリ３１）に対して状態通知を応答する（シーケンスＱ１１２ａ）。調光ユニット２０−１は、調光ユニット２０−２の状態通知を制御端末３０に中継する（シーケンスＱ１１２ｂ）。これにより制御端末３０は、調光ユニット２０−２の状態情報を更新する。
【００５０】
ＬＥＤライト１０は、点灯要求に応じて光源を点灯する（シーケンスＱ１１３）。無線モジュール２６は、状態情報を更新する（シーケンスＱ１１５）。
【００５１】
図９は、グループ登録制御に関するシーケンス図である。
図９に示すように、調光ユニット２０−１は、制御端末３０（アプリ３１）に係るブリッジデバイスとして動作している。
制御端末３０（アプリ３１）は、調光ユニット２０−１に係るMoving#1（グループ設定要求）を、調光ユニット２０−１に送信する（シーケンスＱ１４０）。なお、図９では、グループ設定要求を「Ｇｐ１設定要求」と省略して記載している。調光ユニット２０−１は、直接にMoving#1を受信する。調光ユニット２０−１は、この制御端末３０のネットワークのグループ＃１として動作するように自身を設定する（シーケンスＱ１４１）。
【００５２】
制御端末３０（アプリ３１）は、調光ユニット２０−２に係るMoving#2（グループ設定要求）を、調光ユニット２０−１を介して送信する（シーケンスＱ１４２ａ）。調光ユニット２０−２は、無線メッシュネットワークを通じてMoving #2を受信する（シーケンスＱ１４２ｂ）。調光ユニット２０−２は、この制御端末３０のネットワークのグループ＃１として動作するように自身を設定する（シーケンスＱ１４３）。
【００５３】
制御端末３０（アプリ３１）は、調光ユニット２０−３に係るMoving #3（グループ設定要求）を、調光ユニット２０−１を介して送信する（シーケンスＱ１４４ａ）。調光ユニット２０−３は、無線メッシュネットワークを通じてMoving #3を受信する（シーケンスＱ１４４ｂ）。調光ユニット２０−３は、この制御端末３０のネットワークのグループ＃１として動作するように自身を設定する（シーケンスＱ１４３）。
このように動作することで、制御端末３０（アプリ３１）は、調光ユニット２０−１〜２０−３を、グループ＃１に登録することができる。
【００５４】
図１０は、グループ制御動作と個別制御動作を示すシーケンス図である。
シーケンスＱ１２０〜Ｑ１２９はグループ制御動作を示し、シーケンスＱ１３０〜Ｑ１３３はリトライにおける個別の制御動作を示している。ここでは、調光ユニット２０−１が、制御端末３０（アプリ３１）に係るブリッジデバイスとして動作している。また、調光ユニット２０−１〜調光ユニット２０−３がグループ登録されている。
制御端末３０（アプリ３１）は、グルーブの状態確認コマンドを、調光ユニット２０−１を介して送信する（シーケンスＱ１２０）。
調光ユニット２０−１は、状態通知を制御端末３０に対して直接に送信する（シーケンスＱ１２１）。
【００５５】
調光ユニット２０−２は、無線メッシュネットワークを通じて制御端末３０（アプリ３１）に対して状態通知を応答する（シーケンスＱ１２２ａ）。調光ユニット２０−１は、調光ユニット２０−２の状態通知を制御端末３０に中継する（シーケンスＱ１２２ｂ）。
【００５６】
調光ユニット２０−３は、無線メッシュネットワークを通じて制御端末３０（アプリ３１）に対して状態通知を応答する（シーケンスＱ１２３ａ）。調光ユニット２０−１は、調光ユニット２０−３の状態通知を制御端末３０に中継する（シーケンスＱ１２３ｂ）。
【００５７】
次に制御端末３０（アプリ３１）は、グルーブの点灯要求コマンドを、調光ユニット２０−１を介して送信する（シーケンスＱ１２４）。
【００５８】
調光ユニット２０−１は、ＬＥＤライト１０を点灯し（シーケンスＱ１２５）、状態通知を制御端末３０に対して直接に送信すると（シーケンスＱ１２６）、状態情報を更新する（シーケンスＱ１２７）。
【００５９】
調光ユニット２０−２は、グルーブの点灯要求コマンドを受信すると（シーケンスＱ１２４ｂ）、ＬＥＤライト１０を点灯したのち（不図示）、無線メッシュネットワークを通じて状態通知を制御端末３０に対して送信し（シーケンスＱ１２８ａ）、状態情報を更新する（シーケンスＱ１２９）。調光ユニット２０−１は、調光ユニット２０−２の状態通知を制御端末３０に中継する（シーケンスＱ１２８ｂ）。
ここで調光ユニット２０−３は、グルーブの点灯要求コマンドの受信に失敗しており、この状態で１秒が経過する（シーケンスＱ１３０）。
【００６０】
制御端末３０（アプリ３１）は、調光ユニット２０−３の状態通知を監視し、所定時間に亘って状態通知を受信しなかったので、この調光ユニット２０−３の点灯要求コマンドを、調光ユニット２０−１を介して送信（再送）する（シーケンスＱ１３１ａ）。調光ユニット２０−３は、無線メッシュネットワークを通じて点灯要求コマンドを受信すると（シーケンスＱ１３１ｂ）、ＬＥＤライト１０を点灯したのち（不図示）、無線メッシュネットワークを通じて状態通知を制御端末３０に対して送信し（シーケンスＱ１３２ａ）、状態情報を更新する（シーケンスＱ１３３）。調光ユニット２０−１は、調光ユニット２０−３の状態通知を制御端末３０に中継する（シーケンスＱ１３２ｂ）。このように、グループ制御にて、制御に失敗した調光ユニット２０があるときには、個別に制御することで、グループ全体への影響を抑止することができる。
また、制御に失敗した調光ユニット２０に対する再送処理については、予め規定した再送回数のメッセージを送信しても返信がない場合は、再送処理をやめ、制御端末３０に通信圏外等の表示を行うとよい。これにより、通信トラフィックを軽減させることができる。
【００６１】
図１１（ａ），（ｂ）は、グループ制御と個別制御の画面を示す図である。
図１１（ａ）は、制御端末３０にインストールされた専用アプリケーションにおけるグループの制御画面５０を示す図である。
制御画面５０には、上部に選択コンボボックス５１が表示され、中央に調光スライダ５４が縦方向に配置されている。制御画面５０の左側には、ＯＮボタン５２とＯＦＦボタン５３とが配置され、右側には、Ｍａｘボタン５７、Ｕｐボタン５５、Ｄｏｗｎボタン５６、Ｍｉｎボタン５８が順番に配置されている。
選択コンボボックス５１は、制御対象を選択するコンボボックスであり、ここでは「グループ＃１」が選択されている。
【００６２】
調光スライダ５４は、ＬＥＤライト１０の照度を指定するスライダである。この調光スライダ５４は、各調光ユニット２０からの状態通知に基づいて表示される。
【００６３】
ＯＮボタン５２はＬＥＤライト１０の点灯を指示し、ＯＦＦボタン５３はＬＥＤライト１０の消灯を指示する。Ｍａｘボタン５７はＬＥＤライト１０の最大照度を指示し、Ｍｉｎボタン５８はＬＥＤライト１０の最小照度を指示する。Ｕｐボタン５５は照度の所定値の増加を指示し、Ｄｏｗｎボタン５６は照度の所定値の減少を指示する。
【００６４】
図１１（ｂ）は、制御端末３０にインストールされた専用アプリケーションにおける個別の制御画面５０を示す図である。
個別の制御画面５０は、選択コンボボックス５１に、例えば「Light#3（調光ユニット＃３）」などの個別の装置が選択されている点が異なっている。本実施形態の制御端末３０は、グループ全体に属する調光ユニット２０と、個別の調光ユニット２０とを選択して制御可能である。
【００６５】
図１２は、グループ選択時の処理を示すフローチャートである。
制御端末３０（アプリ３１）は、最初、グループ＃１の状態を確認し（ステップＳ１０）、このグループ＃１に属する全ての調光ユニット２０から状態通知を受信する（ステップＳ１１）。
【００６６】
制御端末３０（アプリ３１）は、グループ＃１に属する全ての調光ユニット２０の点灯レベルが一致するか否かを判定し（ステップＳ１２）、一致するならば、調光スライダ５４を共通レベルに調整し（ステップＳ１３）、Ｕｐボタン５５とＤｏｗｎボタン５６とを有効表示して（ステップＳ１４）、図１２の処理を終了する。
【００６７】
制御端末３０（アプリ３１）は、グループ＃１に属する調光ユニット２０の点灯レベルが一致しないならば（ステップＳ１２→Ｎｏ）、最初に取得した代表１台に設定するか否かをユーザに問い合わせ（ステップＳ１５）、代表１台に設定するならば、調光スライダ５４を代表１台のレベルに調整し（ステップＳ１６）、Ｕｐボタン５５とＤｏｗｎボタン５６とを有効表示して（ステップＳ１７）、図１２の処理を終了する。
【００６８】
制御端末３０（アプリ３１）は、最初に取得した代表１台に設定しないならば（ステップＳ１５→Ｎｏ）、調光スライダ５４を灰色表示して無効化し（ステップＳ１８）、Ｕｐボタン５５とＤｏｗｎボタン５６とを無効化して（ステップＳ１９）、図１２の処理を終了する。
【００６９】
図１３は、第２の実施形態におけるムービングライトと制御端末の外観図である。
図１３に示すように、可変照明装置は、ムービングライト１２０（部位を駆動可能な機器の一例）と、可変制御ユニット２０Ａとを含んで構成される。ムービングライト１２０は、左右回転部２１と、この左右回転部２１の下側に固定されたアーム２２と、このアーム２２によって保持されるフード２３とを含んで構成される。
【００７０】
ムービングライト１２０において左右回転部２１は、パンモータ１５を備える。左右回転部２１は、天井の固定部に接続され、パンモータ１５によって左右に回転可能に構成される。また、左右回転部２１は、アーム２２を保持すると共に、パンモータ１５の回転により、ＬＥＤ１１の照明方向を左右にパン（Ｐａｎ）することができる。
【００７１】
フード２３は、アーム２２によって保持されると共に、アーム２２に取り付けられたチルトモータ１６によって上下方向に回転可能に構成される。チルトモータ１６の回転により、ＬＥＤ１１の照明方向を上下にチルト（Ｔｉｌｔ）することができる。
フード２３は、内部にＬＥＤ１１を格納すると共に、フォーカスモータ１７と不図示のレンズによってＬＥＤ１１の焦点距離を調整可能に構成される。
【００７２】
制御端末３０は、インストールされた専用アプリケーションにより、部位を駆動可能な機器に対して、当該部位の移動動作を指示する制御信号を送信する。制御端末３０は、例えば、ＬＥＤ１１を回転移動させる通信信号Ｍａを生成し、生成した通信信号ＭａをBluetooth Smart（登録商標）によりムービングライト１２０の可変制御ユニット２０Ａに送信する。
【００７３】
図１４は、無線モジュール２６Ａの構成を示すブロック図である。図３に示した無線モジュール２６と同一の要素には同一の符号を付与している。
無線モジュール２６Ａは、光源制御部２６５と、モータ制御部２６４−１〜２６４−３を備え、第１の実施形態と同様な無線通信制御部２６１と、信号解析部２６２とを備えている。
【００７４】
光源制御部２６５は、信号解析部２６２が解析した光源制御情報（制御情報の一例）に応じて、ＬＥＤ１１を駆動するための光源動作指示信号（動作指示信号の一例）を生成する。光源駆動回路２８は、この光源動作指示信号に基づいて光源駆動信号（駆動信号の一例）を生成して、ＬＥＤ１１を駆動する。
【００７５】
モータ制御部２６４−１は、信号解析部２６２が解析したパンモータ制御情報（制御情報の一例）に応じて、パンモータ１５を駆動するためのパンモータ動作指示信号（動作指示信号の一例）を生成する。モータ駆動回路１４−１は、このパンモータ動作指示信号に基づいてパンモータ駆動信号（駆動信号の一例）を生成して、パンモータ１５を駆動する。
【００７６】
モータ制御部２６４−２は、信号解析部２６２が解析したチルトモータ制御情報（制御情報の一例）に応じて、チルトモータ１６を駆動するためのチルトモータ動作指示信号（動作指示信号の一例）を生成する。モータ駆動回路１４−２は、このチルトモータ動作指示信号に基づいてチルトモータ駆動信号（駆動信号の一例）を生成して、チルトモータ１６を駆動する。
【００７７】
モータ制御部２６４−３は、信号解析部２６２が解析したフォーカスモータ制御情報（制御情報の一例）に応じて、フォーカスモータ１７を駆動するためのフォーカスモータ動作指示信号（動作指示信号の一例）を生成する。モータ駆動回路１４−３は、このフォーカスモータ動作指示信号に基づいてフォーカスモータ駆動信号（駆動信号の一例）を生成して、フォーカスモータ１７を駆動する。
【００７８】
図１５（ａ），（ｂ）は、グループ制御と個別制御の画面を示す図である。
図１５（ａ）は、制御端末３０におけるグループの制御画面５０を示す図である。
制御画面５０には、上部に選択コンボボックス５１が表示され、中央から右側に掛けてパンスライダ６１、チルトスライダ６２、フォーカススライダ６３が縦方向に配置されている。これらパンスライダ６１、チルトスライダ６２、フォーカススライダ６３を総称して、位置スライダという。
制御画面５０の左側には、ＯＮボタン５２とＯＦＦボタン５３とが配置されている。
選択コンボボックス５１は、制御対象を選択するコンボボックスであり、ここでは「グループ＃１」が選択されている。
【００７９】
パンスライダ６１、チルトスライダ６２、フォーカススライダ６３は、それぞれＬＥＤ１１のパン位置、チルト位置、フォーカス位置を指定するスライダである。この調光スライダ５４は、各可変制御ユニット２０Ａからの状態通知に基づいて表示される。ＯＮボタン５２はＬＥＤ１１の点灯を指示し、ＯＦＦボタン５３はＬＥＤ１１の消灯を指示する。
【００８０】
図１５（ｂ）は、制御端末３０における個別の制御画面５０を示す図である。
個別の制御画面５０は、選択コンボボックス５１に、例えば「Light#3」などの個別の装置が選択されている点が異なっている。本実施形態の制御端末３０は、グループ全体に属する可変制御ユニット２０Ａと、個別の可変制御ユニット２０Ａとを選択して制御可能である。
【００８１】
図１６は、グループ選択時の処理を示すフローチャートである。
制御端末３０（アプリ３１）は、最初、グループ＃１の状態を確認し（ステップＳ３０）、このグループ＃１に属する全ての可変制御ユニット２０Ａから状態通知を受信する（ステップＳ３１）。
【００８２】
制御端末３０（アプリ３１）は、グループ＃１に属する全ての可変制御ユニット２０Ａの位置レベルが一致するか否かを判定し（ステップＳ３２）、一致するならば、位置スライダを共通レベルに調整し（ステップＳ３５）、図１６の処理を終了する。
【００８３】
制御端末３０（アプリ３１）は、グループ＃１に属する可変制御ユニット２０Ａの点灯レベルが一致しないならば（ステップＳ３２→Ｎｏ）、基準となる１台をユーザに選択させ（ステップＳ３３）、位置スライダを代表１台のレベルに調整し（ステップＳ３４）、図１６の処理を終了する。このように制御することで、制御端末３０の限られた画面にて、グループの制御と個別の制御とを選択的に実施可能である。
【００８４】
（変形例）
本発明は、上記実施形態に限定されることなく、本発明の趣旨を逸脱しない範囲で、変更実施が可能であり、例えば、次の（ａ）〜（ｃ）のようなものがある。
（ａ）  制御端末とは別にゲートウェイを設置して、スケジューリング等によって各ＬＥＤライト１０或いはムービングライト１２０を制御してもよい。
（ｂ）  照明制御システムが備える照明器具は、ＬＥＤ光源に限定されず、有機ＥＬ（electroluminescence）、無機ＥＬ、蛍光灯、白熱電球などの任意方式であってもよく、限定されない。
（ｃ）  本発明の無線メッシュネットワークは、CSRmesh（登録商標）に限定されず、任意方式であってもよく、限定されない。
【符号の説明】
【００８５】
Ｓ  照明制御システム  （機器制御システム）
１０  ＬＥＤライト  （照明器具の一例）
１２０  ムービングライト
１４  モータ駆動回路  （駆動信号生成手段の一例）
１５  パンモータ
１６  チルトモータ
１７  フォーカスモータ
２０  調光ユニット  （調光器）
２０Ａ  可変制御ユニット  （制御ユニットの一例）
２１  左右回転部
２３  フード
２２  アーム
２３  フード
２４  ＡＣ／ＤＣコンバータ
２５  レギュレータ
２６  無線モジュール
２８  光源駆動回路  （駆動信号生成手段の一例）
２６１  無線通信制御部  （受信手段の一例）
２６２  信号解析部  （信号解析手段の一例）
２６３  ＰＷＭ指示信号生成部  （ＰＷＭ指示信号生成手段の一例）
２６４  モータ制御部  （動作指示信号生成手段の一例）
２６５  光源制御部  （動作指示信号生成手段の一例）
２７  ＰＷＭ信号生成回路  （ＰＷＭ信号生成手段の一例）
３０  制御端末  （制御装置の一例）
４０  センサユニット  （検出器）
４１  ホストコントローラ  （信号生成手段の一例）
４２  スイッチ
４３ａ  人感センサ  （検出手段の一例）
４３ｂ  照度センサ  （検出手段の一例）
４４  ＡＣ／ＤＣコンバータ
４６  無線モジュール
５０  制御画面
５４  調光スライダ
５５  Ｕｐボタン
５６  Ｄｏｗｎボタン
Ｓｐ  ＰＷＭ指示信号
Ｓｍ  動作指示信号
【図１】
0006457910.tif 000002
【図２】
0006457910.tif 000003
【図３】
0006457910.tif 000004
【図４】
0006457910.tif 000005
【図５】
0006457910.tif 000006
【図６】
0006457910.tif 000007
【図７】
0006457910.tif 000008
【図８】
0006457910.tif 000009
【図９】
0006457910.tif 000010
【図１０】
0006457910.tif 000011
【図１１】
0006457910.tif 000012
【図１２】
0006457910.tif 000013
【図１３】
0006457910.tif 000014
【図１４】
0006457910.tif 000015
【図１５】
0006457910.tif 000016
【図１６】
0006457910.tif 000017